(57)【要約】【課題】  各々異なる放送フォーマットにより放送されるＥＰＧデータを用いて番組表を表示する場合における、ユーザの利便性を向上させる。【解決手段】  各放送フォーマットにて放送されるＥＰＧデータをハードディスク１５１に記録すると共に、当該ＥＰＧデータを用いて番組表を表示するための番組表表示データを生成し、モニタＭＮに対応する番組表を表示させる。そして、番組表の表示切換を行う場合、既に表示されている番組表を読み取り不能になるよう、徐々に（例えば、段階的）ぼかして表示し、更に、新たに表示すべき番組表に徐々にフォーカスするように画像を遷移させつつ表示する。【選択図】  図４
2006253925.tif 000002
【特許請求の範囲】
【請求項１】
第１の放送フォーマットに従って放送される第１電子番組表情報及び前記第１の放送フォーマットとは異なる第２の放送フォーマットに従って放送される第２電子番組表情報を受信する受信手段と、
前記第１電子番組表情報に対応した第１番組表及び第２電子番組表情報に対応した第２番組表とは異なる画像を表示させるための画像情報が記録される記録手段と、
前記受信された第１電子番組表情報及び第２電子番組表情報を用いて前記第１番組表及び第２番組表を表示装置に表示させる表示制御手段と、を備え、
前記表示制御手段は、前記表示装置に表示された前記第１番組表或いは第２番組表を他方の番組表に切り換える際、前記画像情報に対応した画像を表示させた後、当該他方の番組表を表示させることを特徴とする表示制御装置。
【請求項２】
前記記録手段には、前記画像情報として複数の画像に対応した情報が記録され、
前記表示制御手段は、前記複数の画像の内、少なくとも２つ以上の画像情報に基づく画像表示を行った後に、前記他方の番組表を表示させることを特徴とする請求項１に記載の表示制御装置。
【請求項３】
前記画像情報に対応する複数の画像は、各々異なるサイズのブロックにより構成されたモザイク状の画像であることを特徴とする請求項２に記載の表示制御装置。
【請求項４】
前記記録手段には、前記画像情報として複数のフレームから構成される動画を表示するための情報が記録され、前記表示制御手段は、前記画像情報に基づき前記動画を表示した後に、前記他方の番組表を表示させることを特徴とする請求項１に記載の表示制御装置。
【請求項５】
前記第１番組表及び第２番組表の表示形態中において共通とすべき表示フォーマットを示す表示フォーマット情報が記録される表示フォーマット情報記録手段を更に備え、
前記表示制御手段は、前記表示フォーマット情報を用いて前記第１番組表及び第２番組表の表示形態を決定することを特徴とする請求項１に記載の表示制御装置。
【請求項６】
前記表示フォーマット情報記録手段には、複数の前記表示フォーマット情報が記録され、
前記表示制御手段は、前記第１番組表及び第２番組表の表示に際して課される表示上の制限に応じて、利用する前記表示フォーマット情報を変更することを特徴とする請求項５に記載の表示制御装置。
【請求項７】
第１の放送フォーマットに従って放送される第１電子番組表情報及び前記第１の放送フォーマットとは異なる第２の放送フォーマットに従って放送される第２電子番組表情報を受信する受信手段と、
前記第１電子番組表情報に対応した第１番組表及び第２電子番組表情報に対応した第２番組表とは異なる画像を表示させるための画像情報が記録される記録手段と、
ユーザの入力操作を受け付ける入力手段と、
前記受信された第１電子番組表情報及び第２電子番組表情報を用いて前記第１番組表及び第２番組表を表示装置に表示させる表示制御手段と、
前記表示装置に表示された前記第１番組表或いは前記第２番組表に基づくユーザの入力操作に応じて放送番組の録画予約を行うと共に、当該予約された時刻に放送される番組に対応したコンテンツデータを記録媒体に記録させる記録制御手段と、を備え、
前記表示制御手段は、前記表示手段に表示された前記第１番組表或いは第２番組表を当該他方の番組表に切り換える際、前記画像情報に対応した画像を表示させた後、当該他方の番組表を表示させることを特徴とする番組録画装置。
【請求項８】
放送波により放送される各種番組に対応したコンテンツデータを受信して表示装置に表示させる表示制御装置における表示制御方法であって、
第１の放送フォーマットに従って放送される第１電子番組表情報及び前記第１の放送フォーマットとは異なる第２の放送フォーマットに従って放送される第２電子番組表情報を受信する第１ステップと、
前記受信された第１電子番組表情報及び第２電子番組表情報の何れか一方を用いて、当該第１電子番組表情報に対応した第１番組表或いは第２電子番組表情報に対応した第２番組表の何れか一方を前記表示装置に表示させる第２ステップと、
前記表示装置に表示された前記第１番組表或いは第２番組表を当該他方の番組表に切り換えるステップであって、当該切換に際して、予め記録されている画像情報を読み出し、当該画像情報に基づき前記第１番組表及び第２番組表とは異なる画像を表示させた後、当該他方の番組表を表示させる第３ステップと
を具備することを特徴とする表示制御方法。
【請求項９】
第１の放送フォーマットに従って放送される第１電子番組表情報に対応した第１番組表及び前記第１の放送フォーマットとは異なる第２の放送フォーマットに従って放送される第２電子番組表情報に対応した第２電子番組表を、コンピュータにより表示装置に表示させるための表示制御プログラムであって、
前記コンピュータを、
前記第１電子番組表情報及び前記第２電子番組表情報を受信する受信手段、
前記第１電子番組表情報に対応した第１番組表及び第２電子番組表情報に対応した第２番組表とは異なる画像を表示させるための画像情報が記録される記録手段、
前記受信された第１電子番組表情報及び第２電子番組表情報を用いて前記第１番組表及び第２番組表を表示装置に表示させる手段であって、前記表示装置に表示された前記第１番組表或いは第２番組表を他方の番組表に切り換える際、前記画像情報に対応した画像を表示させた後、当該他方の番組表を表示させる表示制御手段、
として機能させることを特徴とする表示制御プログラム。
【請求項１０】
請求項９に記載の表示制御プログラムを記録したことを特徴とするコンピュータに読み取り可能な情報記録媒体。
【発明の詳細な説明】
【技術分野】
【０００１】
本発明は、放送波を用いて放送される放送番組の番組表を表示装置に表示させるための技術に関する。
【背景技術】
【０００２】
従来から地上アナログ放送においては放送帯域の空き領域（例えば、Vertical Blanking Interval）を用いてＥＰＧ（Electric Program Guide）データと呼ばれる番組表を表示するためのデータを放送し、このＥＰＧデータに基づき番組表を表示すると共に、放送番組の録画予約を行う放送システムが提供されている。また、近年、デジタル放送が開始され、このデジタル放送においても放送波に含まれるトランスポートストリーム中のＳＩ（Service Information）情報にＥＰＧデータを盛り込み、このＥＰＧデータを用いて番組表を表示する方法が各種提案されている（以下、両ＥＰＧデータを特定するため、各々、「アナログＥＰＧデータ」及び「デジタルＥＰＧデータ」と呼び、特に特定する必要がない場合、単に「ＥＰＧデータ」と呼ぶ。）。
【発明の開示】
【発明が解決しようとする課題】
【０００３】
ところで、上記従来のアナログＥＰＧデータとデジタルＥＰＧデータとは、各々異なったフォーマットにより作成されており、また、ＥＰＧデータの利用に際して著作権法上の制限が課される可能性がある。このような各種の制約が生じた場合、各放送フォーマットに対応した番組表を１つの番組表の中に混在させることが困難となり、各放送フォーマット毎に別個の番組表表示を行うことが必要となってしまう。しかしながら、実際に番組表を利用するユーザの立場からすると各放送フォーマットに対応した複数の番組表を何の関連性も持たせずに独立のものとして表示する環境は決してユーザフレンドリなものということができない。すなわち、このように別個独立に番組表が表示されてしまう環境下では各番組表毎にＧＵＩ（グラフィックユーザインターフェイス）が著しく異なる可能性があり、かかる環境下において番組表の表示切換が行われるとユーザはＧＵＩの違いにとまどう可能性があるのである。
【０００４】
本発明は、以上説明した事情に鑑みてなされたものであり、その課題の一例としては、各々異なる放送フォーマットにより放送されるＥＰＧデータを用いて番組表を表示する場合における、ユーザの利便性を向上させることが可能な表示制御装置、表示制御方法、表示制御プログラム及び情報記録媒体並びにこの表示制御装置を用いた番組録画装置を提供することを目的とする。
【課題を解決するための手段】
【０００５】
上述した課題を解決するため本願の一つの観点において請求項１に記載の表示制御装置は、第１の放送フォーマットに従って放送される第１電子番組表情報及び前記第１の放送フォーマットとは異なる第２の放送フォーマットに従って放送される第２電子番組表情報を受信する受信手段と、前記第１電子番組表情報に対応した第１番組表及び第２電子番組表情報に対応した第２番組表とは異なる画像を表示させるための画像情報が記録される記録手段と、前記受信された第１電子番組表情報及び第２電子番組表情報を用いて前記第１番組表及び第２番組表を表示装置に表示させる表示制御手段と、を備え、前記表示制御手段は、前記表示装置に表示された前記第１番組表或いは第２番組表を他方の番組表に切り換える際、前記画像情報に対応した画像を表示させた後、当該他方の番組表を表示させることを特徴とする。
【０００６】
また、本願の他の観点において請求項７に記載の番組録画装置は、第１の放送フォーマットに従って放送される第１電子番組表情報及び前記第１の放送フォーマットとは異なる第２の放送フォーマットに従って放送される第２電子番組表情報を受信する受信手段と、前記第１電子番組表情報に対応した第１番組表及び第２電子番組表情報に対応した第２番組表とは異なる画像を表示させるための画像情報が記録される記録手段と、ユーザの入力操作を受け付ける入力手段と、前記受信された第１電子番組表情報及び第２電子番組表情報を用いて前記第１番組表及び第２番組表を表示装置に表示させる表示制御手段と、前記表示装置に表示された前記第１番組表或いは前記第２番組表に基づくユーザの入力操作に応じて放送番組の録画予約を行うと共に、当該予約された時刻に放送される番組に対応したコンテンツデータを記録媒体に記録させる記録制御手段と、を備え、前記表示制御手段は、前記表示手段に表示された前記第１番組表或いは第２番組表を当該他方の番組表に切り換える際、前記画像情報に対応した画像を表示させた後、当該他方の番組表を表示させることを特徴とする。
【０００７】
また更に、本願の他の観点において請求項８に記載の表示制御方法は、放送波により放送される各種番組に対応したコンテンツデータを受信して表示装置に表示させる表示制御装置における表示制御方法であって、第１の放送フォーマットに従って放送される第１電子番組表情報及び前記第１の放送フォーマットとは異なる第２の放送フォーマットに従って放送される第２電子番組表情報を受信する第１ステップと、前記受信された第１電子番組表情報及び第２電子番組表情報の何れか一方を用いて、当該第１電子番組表情報に対応した第１番組表或いは第２電子番組表情報に対応した第２番組表の何れか一方を前記表示装置に表示させる第２ステップと、前記表示装置に表示された前記第１番組表或いは第２番組表を当該他方の番組表に切り換えるステップであって、当該切換に際して、予め記録されている画像情報を読み出し、当該画像情報に基づき前記第１番組表及び第２番組表とは異なる画像を表示させた後、当該他方の番組表を表示させる第３ステップとを具備することを特徴とする。
【０００８】
更に、本願の他の観点において請求項９に記載の表示制御プログラムは、第１の放送フォーマットに従って放送される第１電子番組表情報に対応した第１番組表及び前記第１の放送フォーマットとは異なる第２の放送フォーマットに従って放送される第２電子番組表情報に対応した第２電子番組表を、コンピュータにより表示装置に表示させるための表示制御プログラムであって、前記コンピュータを、前記第１電子番組表情報及び前記第２電子番組表情報を受信する受信手段、前記第１電子番組表情報に対応した第１番組表及び第２電子番組表情報に対応した第２番組表とは異なる画像を表示させるための画像情報が記録される記録手段、前記受信された第１電子番組表情報及び第２電子番組表情報を用いて前記第１番組表及び第２番組表を表示装置に表示させる手段であって、前記表示装置に表示された前記第１番組表或いは第２番組表を他方の番組表に切り換える際、前記画像情報に対応した画像を表示させた後、当該他方の番組表を表示させる表示制御手段、として機能させることを特徴とする。
【０００９】
更にまた、本願の他の観点において請求項１０に記載の情報記録媒体は、請求項９に記載の表示制御プログラムを記録したことを特徴とする。
【発明を実施するための最良の形態】
【００１０】
［１］実施形態
［１．１］実施形態の構成
以下、本実施形態にかかる情報記録再生装置ＲＰの構成を示すブロック図である図１を参照しつつ本願の実施の形態について説明する。なお、以下に説明する実施の形態は、データの記録および読み出しが実行されるハードディスクドライブ（以下、「ＨＤＤ」という。）及びＤＶＤドライブを備えた、所謂、ハードディスク／ＤＶＤレコーダに対して本願を適用した場合の実施の形態である。また、以下において、「放送番組」とは放送波を介して各放送局から提供されるコンテンツを示すものとする。
【００１１】
まず、同図に示すように本実施形態にかかる情報記録再生装置ＲＰは、ＴＶ受信部１１と、信号処理部１２と、ＥＰＧデータ処理部１３と、ＤＶＤドライブ１４と、ハードディスク１５１を備えたＨＤＤ１５と、復号処理部１６と、システム制御部１７と、操作部１８と、記録制御部１９と、再生制御部２０と、ＲＯＭ／ＲＡＭ部２１と、これら各要素を相互に接続するバス２２を有し、大別して以下の機能を実現するようになっている。
（ａ）アナログ放送（例えば、地上デジタル放送）やデジタル放送（例えば、地上デジタル放送）といった、各種放送フォーマットに従って放送される放送波をＴＶ受信部１１にて受信し、放送番組に対応したコンテンツデータをＤＶＤ及びハードディスク１５１に記録する一方、ＤＶＤ及びハードディスク１５１に記録されたコンテンツデータを再生する記録再生機能。
（ｂ）ＴＶ受信部１１により受信された放送波からＥＰＧデータを抽出すると共に、このＥＰＧデータに基づいて番組表を表示するための番組表表示データを生成し、モニタＭＮに番組表を表示させる番組表表示機能。
（ｃ）  上記番組表表示機能により番組表が表示されている状態において、操作部１８に対して行われた入力操作に応じて放送番組の録画予約を行う録画予約機能。
【００１２】
ここで、上述のように、各放送フォーマットに対応した番組表毎にＧＵＩを変更せざるを得ない事態が発生した場合、番組表の表示切換時にユーザに違和感を与え、利便性の低下要因となりかねない。そこで、本実施形態においては、次のような表示方法を採用することとした。
＜表示方法１＞
まず、１つの放送フォーマットに対応した番組表から他の放送フォーマットに対応した番組表に表示を切り換える際に、両番組表があたかも１つの番組表であるかのごとくシームレスに切り換え表示を行う。具体的には、既に表示されている番組表を読み取り不能になるよう、徐々に（例えば、段階的）ぼかして表示し、更に、新たに表示すべき番組表に徐々にフォーカスするように画像を遷移させつつ表示する（例えば、図４参照）。
＜表示方法２＞
番組表の表示形態に各種の制限が設けられた場合であっても、制限の課されていない部分に関して共通の表示フォーマットを設け、この表示フォーマットを示す表示フォーマットデータを事前にＲＡＭ／ＲＡＭ２１に記録しておく。そして、この表示フォーマットデータに基づき番組表表示データを生成することにより、各番組表間におけるＧＵＩの相違点を減少させるようにする。例えば、各番組表間において番組表の全体形状や時刻欄、スクロールバー、日にち切換用のアイコン（例えば、タグ）等に関し、制限が課されていない場合には、これらの要素について共通の表示フォーマットを設ける。また、例えば、１つの番組表において広告欄、或いは、所定情報の表示欄を設けることが義務づけられており、番組表を表示できる画像上のスペースが限られているような場合、当該他の番組表においても番組表の画像上における表示位置を一致させるようにする。なお、表示形態については固定としても良く、毎回変化させるようにしても良いが、本実施形態においては固定であるものとして説明し、変化させる態様については変形例の項にて説明する。
【００１３】
なお、表示切換のトリガとなる入力操作を如何なるものとするかについては任意であり、例えば、操作部の図示せぬリモコン装置に表示切換ボタンを設け、このボタン押下時に表示中の番組表を順次切り換えるようにしても良い。また、この場合において、表示切換ボタンが押下された際に切り換える番組表の順序については任意であり、例えば、ＲＯＭ／ＲＡＭ２１に切換の順序を示すデータを記録しておき、このデータに基づき切換順序を決定するようにしても良い。更に、他の方法としては、各放送フォーマットに対応した番組表を表示させるための複数のボタンを設け（例えば、地上アナログ放送の番組表表示用ボタン及び地上デジタル放送の番組表表示用ボタン等を各々設ける）、１つの放送フォーマットに対応した番組表の表示状態において、当該他の放送フォーマットに対応した番組表表示用ボタンが押下された場合に表示切換を行うようにしても良い。
【００１４】
以下、かかる機能を実現するための本実施形態にかかる情報記録再生装置ＲＰの具体的な構成について説明することとする。
【００１５】
まず、ＴＶ受信部１１は、地上アナログ放送等のアナログ放送及び地上デジタル放送、ＣＳ（Communication Satellite）放送、ＢＳ（Broadcasting Satellite）デジタル放送等のデジタル放送のチューナであり、アンテナＡＴを介して放送波を受信する。そして、ＴＶ受信部１１は、例えば、受信対象となる放送波がアナログ方式によるものの場合、当該放送波をＩＦ（中間周波数）信号に変換し、このＩＦ信号をＴＶ用の映像信号および音声信号（以下、「ＴＶ信号」という。）に復調して信号処理部１２及びＥＰＧデータ処理部１３に供給する。これに対して受信対象となる放送波がデジタル方式によるものの場合、ＴＶ受信部１１は当該受信した放送波をＩＦ信号に変換し、このＩＦ信号に含まれるトランスポートストリームを抽出して信号処理部１２及びＥＰＧデータ処理部１３に供給する。
【００１６】
信号処理部１２は、記録制御部１９による制御の下、ＴＶ受信部１１から供給される信号に対して所定の信号処理を施す。例えば、ＴＶ受信部１１からアナログ放送に対応したＴＶ信号が供給された場合、信号処理部１２は、当該ＴＶ信号に対して所定の信号処理及びＡ／Ｄ変換を施して、所定形式のデジタルデータ（すなわち、コンテンツデータ）に変換する。この際、信号処理部１２は、当該デジタルデータを、例えば、ＭＰＥＧ（Moving Picture Coding Experts Group）形式に圧縮してプログラムストリームを生成し、この生成されたプログラムストリームをＤＶＤドライブ１４、ＨＤＤ１５、或いは、復号処理部１６に供給する。これに対して、ＴＶ受信部１１からデジタル放送に対応したトランスポートストリームが供給された場合、信号処理部１２は、当該ストリームに含まれるコンテンツデータをプログラムストリームに変換した後、ＤＶＤドライブ１４、ＨＤＤ１５、或いは、復号処理部１６に供給する。
【００１７】
ＥＰＧデータ処理部１３は、システム制御部１７による制御の下、ＴＶ受信部１１から供給される信号に含まれるＥＰＧデータを抽出し、この抽出したＥＰＧデータをＨＤＤ１５に供給する。例えば、アナログ放送に対応したＴＶ信号が供給された場合、ＥＰＧデータ処理部１３は当該供給されたＴＶ信号のＶＢＩに含まれるアナログＥＰＧデータを抽出して、ＨＤＤ１５に供給する。また、デジタル放送に対応したトランスポートストリームが供給された場合、ＥＰＧデータ処理部１３は、当該ストリーム中に含まれているデジタルＥＰＧデータを抽出して、ＨＤＤ１５に供給する。
【００１８】
ＤＶＤドライブ１４は、装着されたＤＶＤに対するデータの記録及び再生を行い、ＨＤＤ１５は、ハードディスク１５１に対するデータの記録及び再生を行う。ここで、本実施形態において特徴的な事項として、このＨＤＤ１５のハードディスク１５１内には、放送番組に対応したコンテンツデータを記録するためのコンテンツデータ記録領域１５１ａと、ＥＰＧデータ処理部１３から供給されるＥＰＧデータを記録するためのＥＰＧデータ記録領域１５１ｂが設けられる他、第３の領域として切換画像データ記録領域１５１ｃが設けられている。この切換画像データ記録領域１５１ｃは、番組表の表示切換を行う際に、図４のような画像の切換、すなわち、表示中の番組表を徐々にぼかし、更に、新たに表示すべき番組表にフォーカスさせる画像を表示するための切換画像データを格納するために設けられた領域となっている。
【００１９】
本実施形態において、表示切換用の切換画像データをＥＰＧデータと別個のものとして設けた理由は次のようなものとなっている。まず、ＥＰＧデータを用いた番組表表示を行う場合、著作権法上の問題から放送波に含まれるＥＰＧデータを改変することに問題が生じる可能性がある。従って、表示切換を行う際に、図４に示すようなモザイク状画像の表示に用いる画像データをＥＰＧデータに基づいて生成することができない可能性が生じるのである。かかる問題の発生を防止する観点から本実施形態においては、予め切換画像データを作成、記録しておき、実際に番組表の表示切換を行う場合には、ＥＰＧデータとは全く別個のデータである切換画像データを利用して、番組表を徐々にぼかして表示し、或いは、フォーカスするように画像を遷移させつつ表示を行うこととしている。
【００２０】
なお、実際に用いる切換画像データの内容については任意であり、例えば、番組表が徐々にぼやけ、その後、新たに表示すべき番組表に徐々にフォーカスするように見える動画像に対応した切換画像データを用いるようにしても良い。ただし、本実施形態においては、説明を具体的なものとするため、各々異なるサイズのブロックにより表現されるモザイク状の静止画像に対応した複数の切換画像データを用いるものとして説明を行う。
【００２１】
次いで、復号処理部１６は、例えば、信号処理部１２から供給され、ＤＶＤおよびハードディスク１５１から読み出されたプログラムストリーム形式のコンテンツデータを音声データと映像データに分離すると共に、これらの各データをデコードする。そして、復号処理部１６は、このデコードされたコンテンツデータをＮＴＳＣ形式の信号に変換し、当該変換された映像信号及び音声信号を映像信号出力端子Ｔ１および音声信号出力端子Ｔ２を介してモニタＭＮに出力する。なお、モニタＭＮにデコーダ等が搭載されている場合には信号処理部１５においてデコード等を行う必要はなく、コンテンツデータをそのままモニタに出力すれば良い。
【００２２】
システム制御部１７は、主としてＣＰＵ（Central Processing Unit）により構成されると共に、キー入力ポート等の各種入出力ポートを含み、情報記録再生装置ＲＰの全体的な機能を統括的に制御する。かかる制御に際して、システム制御部１７は、ＲＯＭ／ＲＡＭ２１に記録されている制御情報（例えば、表示フォーマットデータ等）や上記番組表表示機能を実現するためのアプリケーションを利用すると共に、当該ＲＯＭ／ＲＡＭ２１をワークエリアとして利用する。
【００２３】
例えば、このシステム制御部１７は操作部１８に対する入力操作に応じて、記録制御部１９及び再生制御部２０を制御し、ＤＶＤ或いはハードディスク１５１に記録されたデータの記録及び再生を行わせる。また、例えば、システム制御部１７は所定のタイミングにてＥＰＧデータ処理部１３及びＨＤＤ１５を制御し、放送波に含まれているＥＰＧデータを抽出させると共に当該抽出されたＥＰＧデータをハードディスク１５１のＥＰＧデータ記録領域１５１ｂに記録させる。かかるシステム制御部１７の機能によりＥＰＧデータ記録領域１５１ｂに記録されたＥＰＧデータが更新され、常に最新のＥＰＧデータがハードディスク１５１内に記録されている状態に維持される。更に、システム制御部１７は、操作部１８に所定の入力操作が行われると、当該入力操作に応じてＨＤＤ１５にＥＰＧデータを読み出させ、当該ＥＰＧデータに基づいて番組表表示データを生成して復号処理部１６に供給する。この結果、モニタＭＮには、ユーザの入力操作に対応した番組表が表示されることとなる。
【００２４】
更にまた、ある放送フォーマットに対応した番組表がモニタＭＮに表示されている状態において、ユーザが操作部１８に対して番組表の表示切換を行う旨の入力操作を行うと、システム制御部１７は、ＨＤＤ１５に対して制御信号を出力し、切換画像データ及び新たな表示対象となる番組表に対応したＥＰＧデータを読み出させると共に、図４のような画像をモニタＭＮに表示させて、番組表の表示切換を行う。
【００２５】
操作部１８は、上述した表示切換ボタン等の選択ボタンおよび数字キー等の各種キーを有するリモートコントロール装置及び当該リモートコントロール装置から送信された信号を受光する受光部等を有し、ユーザの入力操作に対応した制御信号をバス２３を介してシステム制御部１７に出力する。
【００２６】
記録制御部１９は、システム制御部１７による制御の下、ＤＶＤ或いはハードディスク１５１に対するコンテンツデータの記録を制御し、再生制御部２０は、システム制御部１７による制御の下、ＤＶＤ或いはハードディスク１５１に記録されたコンテンツデータの再生を制御する。
【００２７】
［１．２］第１実施形態の動作
（１）ＥＰＧデータの取り込み及び取得更新時の動作
まず、放送波に含まれるＥＰＧデータを情報記録再生装置ＲＰに取り込む際の動作について、図２を参照しつつ説明する。なお、同フローチャートに示す処理の開始タイミング、すなわち、ＥＰＧデータの取り込み及び更新のタイミングは任意である。例えば、現状の地上アナログ放送の場合、一日に複数回、所定の時刻にアナログＥＰＧデータが放送されることとなっているため、当該時刻をＲＯＭ／ＲＡＭ２１に記録しておき、当該時刻において図２に示す処理を実行するようにしても良い。また、例えば、デジタル放送の場合、毎日、所定の時刻にデジタルＥＰＧデータが更新されることとなっているため、当該更新タイミングをＲＯＭ／ＲＡＭ２１に記録しておき、当該時刻に同フローに示す処理を実行するようにしても良い。
【００２８】
この処理においてシステム制御部１７は、まず、現在時刻がアナログＥＰＧデータの取り込み時刻か、或いは、デジタルＥＰＧデータの取り込み時刻かを判定する（ステップＳ１）。なお、このステップにおける判定方法は任意であり、例えば、上述のようにＲＯＭ／ＲＡＭ２１に更新時刻を記録している場合には、現在時刻と、当該時刻とを比較するようにすれば良い。そして、この判定において、アナログＥＰＧデータの取り込み時刻であるものと判定すると、システム制御部１７は、まず、ＴＶ受信部１１に対して制御信号を出力し（ステップＳ２）、ＴＶ受信部１１における受信周波数をアナログＥＰＧデータの放送周波数に同調させる。この結果、ＴＶ受信部１１において受信された放送波に含まれるＴＶ信号が順次、ＥＰＧデータ処理部１３に供給される状態となる。
【００２９】
次いで、システム制御部１７は、ＥＰＧデータ処理部１３に対して制御信号を出力し（ステップＳ３）、ＴＶ受信部１１から供給されるＴＶ信号からアナログＥＰＧデータを抽出させた後、アナログＥＰＧデータの記録完了を待機する状態となる（ステップＳ４「ｎｏ」）。この結果、ＥＰＧデータ処理部１３においては、ＴＶ受信部１１から供給されるＴＶ信号のＶＢＩ成分に含まれるアナログＥＰＧデータに対応した信号成分が抽出され、デジタルデータに変換された後、ＨＤＤ１５に供給される。そして、ＨＤＤ１５においては、ＥＰＧデータ処理部１３から供給されるアナログＥＰＧデータが順次、ハードディスク１５１のＥＰＧデータ記録領域１５１ｂに記録されていくこととなる。かかる処理は、アナログＥＰＧデータの受信が完了するまで継続され、アナログＥＰＧデータの記録が完了した時点でシステム制御部１７においては、ステップＳ４における判定が「ｙｅｓ」に変化して、処理が終了することとなる。
【００３０】
これに対して、ステップＳ１においてデジタルＥＰＧデータの取り込みタイミングが到来したものと判定すると、システム制御部１７は、ＴＶ受信部１１に対して制御信号を出力し（ステップＳ５）、ＴＶ受信部１１における受信周波数をデジタルＥＰＧデータの放送周波数に同調させる。この結果、ＴＶ受信部１１において受信された放送波に含まれるトランスポートストリームが順次、ＥＰＧデータ処理部１３に供給される状態となる。次いで、システム制御部１７は、ＥＰＧデータ処理部１３に対して制御信号を出力した後（ステップＳ６）、アナログＥＰＧデータの記録完了を待機する状態となる（ステップＳ７「ｎｏ」）。この結果、ＥＰＧデータ処理部１３においてトランスポートストリームのＳＩ情報中からデジタルＥＰＧデータが抽出されてＨＤＤ１５のＥＰＧデータ記録領域１５１ｂに記録されることとなる。そして、デジタルＥＰＧデータの受信が完了した時点でシステム制御部１７は、ステップＳ７において「ｙｅｓ」と判定し、処理を終了することとなる。
【００３１】
（２）番組表表示時の動作
次に、上記処理によりハードディスク１５１に記録されたＥＰＧデータを用いて各放送フォーマットに対応した番組表をモニタＭＮに表示させる際の動作について説明する。モニタＭＮに番組表を表示させようとする場合、ユーザは、まず、操作部１８の図示せぬリモコン装置、或いは、操作パネルに対し、表示対象とすべき番組表の種別を指定して（具体的には、如何なる放送フォーマットに対応した番組表を表示するか）、番組表を表示する旨の入力操作を行うことが必要となる。なお、この際の入力操作の内容に関しては上記のように任意である。
【００３２】
このようにして、番組表の表示対象となる放送フォーマットを選択する旨の入力操作が行われると、システム制御部１７は、ＨＤＤ１５に対して制御信号を出力し、ユーザが指定した番組表に対応するＥＰＧデータを読み出させる。次いで、システム制御部１７は、この読み出されたＥＰＧデータに基づいて番組表表示データを生成して、復号処理部１６に供給する。この結果、モニタＭＮには、例えば、図４（ａ）に示すような画像が表示された状態となる（図４について詳しくは後述する）。なお、この際、システム制御部１７はＲＯＭ／ＲＡＭ２１から表示フォーマットデータを読み出し、番組表表示データの表示フォーマットを決定する。
【００３３】
この状態となると、ユーザは表示されている番組表に基づいて放送番組の録画予約を行うことが可能となる。具体的には、番組表に従って、ユーザが所定の放送番組及び録画先（ハードディスク１５１或いはＤＶＤ）を選択する旨の入力操作を行い、更に録画予約を行う旨の入力操作を行う。すると、システム制御部１７は、この選択された番組に対応する録画時刻や放送チャネルをＥＰＧデータから抽出してＲＯＭ／ＲＡＭ２１に記憶すると共に、当該日時になると記録制御部１９に対して録画ｃｈを示す制御信号を出力する。記録制御部１９は、このようにして供給される制御信号に基づいてＴＶ受信部１１の受信帯域を予約されているチャネルに同調するように変更させると共に、ＤＶＤドライブ１４或いはＨＤＤ１５におけるデータ記録を開始させ、録画予約された放送番組に対応するコンテンツデータを、順次、ＤＶＤ或いはハードディスクに記録させるのである。
【００３４】
一方、番組表の表示状態においてユーザが操作部１８のリモコン装置に対して、表示対象となる番組表を切り換える旨の入力操作を行う。すると、システム制御部１７は、この入力操作をトリガとして図３に示す処理を開始する。なお、この図３に示す処理は、番組表の表示切換を行う旨の入力操作が行われた際に実行される割込処理であり、情報録再生装置ＲＰの各機能を実現するために実行されるメインルーチンに対するサブルーチンとして実行されるものである。
【００３５】
この処理においてシステム制御部１７は、まず、ＨＤＤ１５に対して制御信号を出力し（ステップＳ１１）、新たに表示対象とすべき番組表に対応したＥＰＧデータと上述した切換画像データの読み出しを行わせる。このようにして、切換画像データ及びＥＰＧデータの読み出しが完了すると、システム制御部１７は、切換画像データに基づき、既に表示されている番組表が読み取り不能となるように、徐々にぼかして表示させると共に、再度、新たに表示する番組表にフォーカスされるように画像を遷移させるための処理を実行した後（ステップＳ１２〜ステップＳ１４）、切換先の番組表に対応したＥＰＧデータと表示フォーマットデータとに基づいて番組表表示データを生成して復号処理部１６に供給して（ステップＳ１５）、処理を終了する。この結果、ユーザは新たに表示された番組表に従って録画予約を行うことが可能となる。
【００３６】
このステップＳ１２〜Ｓ１５における画面の遷移状態を図４を参照しつつ説明する。なお、図４は、ステップＳ１２〜Ｓ１５おいて実行される表示処理に基づく画面の遷移状態の一例を示す図である。
【００３７】
まず、切り換え前の表示画面として（ａ）に示すような番組表が表示されているとする。システム制御部１７は、この状態から、まず、モザイク画像データに基づいて細かなモザイクにより構成される第１段階の画像（具体的には、図４（ｂ）に示すような画像）へと表示画像を遷移させる（ステップＳ１２）。次いで、システム制御部１７は、この第１段階の画像の表示状態を所定時間だけ継続させた後、第２段階の画像の表示状態へと表示画面を遷移させる（ステップＳ１３）。この第２段階の画像は、第１段階の画像よりもブロックの大きなモザイクにより構成されており（具体的には、図４（ｃ））、表示された画像の内容をユーザが把握しにくい画像となっている。
【００３８】
かかる第２段階の画像の表示状態が所定時間だけ継続された後、システム制御部１７は、次いで、表示画面を第３段階の画像（具体的には図３（ｄ））へと遷移させる（ステップＳ１４）。この第３段階の画像は、第２段階の画像よりもブロックの細かなモザイクにより構成されており、第１段階の画像と同程度の鮮明さとしてユーザに把握できるものとなっている。この第３段階の画像の表示状態を所定時間だけ継続した後、システム制御部１７は、上述したステップＳ１５の処理を実行し、読み出した新たなＥＰＧデータに基づいて番組表表示データを生成してモニタＭＮに表示される画像を切換先の番組表の表示画像へと変更するのである。
【００３９】
以上の一連の表示が行われることにより、ユーザには、切り換え前の番組表から徐々に画像がぼけた後に、再度、新たな番組表の表示状態にフォーカスするように認識され、シームレスな番組表の切り換えが行われることとなる。
【００４０】
このようにして、本実施形態にかかる情報記録再生装置ＲＰは、各々異なる放送フォーマットに従って放送されるＥＰＧデータを受信するＴＶ受信部１１と、このＥＰＧデータに基づいて各放送フォーマットに対応した番組表をモニタＭＮに表示させるためのシステム制御部１７及び復号処理部１６とを備え、番組表の表示切換時に切換画像データに基づく画像表示を行った後に、他の番組表に表示を切り換える構成が採用されている。この構成により、番組表の表示切換時に既に表示されている番組表から他の番組表に突然、表示切換が行われることを防止することが可能となり、もって、ユーザに違和感を与えることを防止し、ユーザの利便性を向上させることが可能となる。
【００４１】
また、本実施形態においては、切換画像データとして、複数の画像に対応した情報を記録し、順次、画像を遷移させつつ、番組表の表示切換を行う構成を採用しているので、モニタＭＮに表示されている画像を徐々にぼかして判別不能に遷移させ、更に新たな切り換え後の番組表の表示状態にフォーカスするように表示することが可能となり、シームレスな番組表の表示切換を行うことが可能となる。なお、切換画像データにより表示される画像の内容を、例えば、本実施形態におけるようにモザイク状の画像とすれば、ユーザに対する視覚的な違和感を更に低減できることとなる。
【００４２】
更に、本実施形態においては、各放送フォーマットに対応した番組表間において共通とすべき表示フォーマットを決定し、この表示フォーマットに基づいて番組表の表示を行う構成となっているため、各番組表毎にＧＵＩが著しく異なってしまうことを防止し、これによりユーザの利便性を更に向上させることが可能となる。
【００４３】
なお、本実施形態においては、ＨＤ／ＤＶＤレコーダである情報記録再生装置ＲＰに本願にかかる表示制御装置を適用した場合について説明したが、ＰＤＰや液晶パネル、更には有機ＥＬ（Electro Luminescent）パネル等を搭載したテレビ受像器、更には、パーソナルコンピュータ等の電子機器に対しても適用可能である。
【００４４】
また、本実施形態においては、ＤＶＤドライブ１４及びＨＤＤ１５の双方を搭載した情報記録再生装置ＲＰを例に説明したが、ＤＶＤ１４或いはＨＤＤ１５の何れか一方のみを搭載した情報記録再生装置ＲＰについても、上記実施形態と同様の処理を実行することが可能である。但し、ＨＤＤ１５を搭載しない電子機器の場合、ＥＰＧデータや切換画像データを記録するためのフラッシュメモリを設けるか、或いは、ＤＶＤドライブ１４にＤＶＤ-ＲＷを装着するようにし、これらの記録媒体上に上記各データを記録しておくことが必要となる。
【００４５】
また更に、本実施形態においては、ＥＰＧデータをハードディスク１５１内に記録する方法を採用したが、ＥＰＧデータが常に放送される環境が実現される場合には、リアルタイムにてＥＰＧデータを取得し、番組表を表示するようにすることも可能である。
【００４６】
更に、上記実施形態においては、図４に示すような画面遷移、すなわち、モザイク状の画像を徐々に粗くする表示方法を例に説明を行ったが、番組表切換時に表示する画像の内容については任意であり、例えば、徐々に画面を白色若しくは黒色に変化させ、その後、白色（黒色）の画像から徐々に新たに表示すべき番組表が現れてくるかのように表示するようにしても良い。
【００４７】
また、本実施形態においては、画像切換データとＥＰＧデータを情報記録再生装置に記録し、番組表の表示切換時にこれらを用いる構成を採用している。しかし、当該処理の動作を規定するプログラムが記録された記録媒体と、それを読み取るコンピュータと、を備え、このコンピュータで当該プログラムを読み込むことによって上述と同様の処理動作を行うようにしてもよい。
【００４８】
［１．３］実施形態の変形例
上記実施形態にかかる情報記録再生装置ＲＰにおいては、番組表の表示フォーマットを固定とする構成を採用していた。しかしながら、例えば、複数存在する放送フォーマットの内、２つの放送フォーマットに対応した番組表において著作権法上の規定により表示上の制限が課される可能性がある。このような場合、各放送フォーマット間において共通となる要素（例えば、番組表のサイズ等）が少なくなってしまう可能性がある。
【００４９】
そこで、本変形例においては、複数の表示フォーマットを設定すると共に各表示フォーマット毎に表示フォーマットデータを生成し、表示する番組表の順序に応じて利用する表示フォーマットデータを変更とする構成を採用することとした。かかる方法を採用する場合、まず、制限の設けられている各放送フォーマット毎に、制限の設けられていない各放送フォーマットとの間における共通の表示フォーマットを設定する。
【００５０】
例えば、ａ、ｂ、ｃ、ｄ、ｅの５つの放送フォーマットに対応した番組表があり、この内、ａ、ｂ、２つの放送フォーマットに対応した番組表において表示上の制限が設けられている場合を想定する。この場合、ａ、ｂを表示する場合には、双方とも表示上の制限がかかることとなるため、ａ及びｂの各々に対して、ｃ、ｄ、ｅとの間における共通の表示フォーマットを定める。そして、当該表示フォーマットを示す表示フォーマットデータをハードディスク１５１に記録しておくようにし、ａ又はｂに対応した番組表が最初に表示される場合、対応する表示フォーマットデータを用いて番組表表示データを生成するようにする。
【００５１】
一方、制限の付されていない番組表ｃ、ｄ、ｅが最初に表示された場合、次に、制限の付されている番組表ａ、ｂが表示される可能性があり、しかも、ａ、ｂの何れが表示対象となるのかについても特定できないこととなる。かかる場合を想定し、本変形例においては、全放送フォーマットに対応した番組表共通の表示フォーマットデータも記録しておき、制限の付されていない番組表ｃ、ｄ、ｅが最初に表示された場合に、当該表示フォーマットデータに基づいて番組表を表示するようにすることとしている。
【００５２】
このようにして、本変形例にかかる情報記録再生装置ＲＰによれば、複数の表示フォーマットデータを予め生成し、表示される番組表に応じて利用する表示フォーマットデータを変更する構成としているため、番組表の表示に際して制限が存在する放送フォーマットが複数存在する場合であっても、各番組表に対応した表示フォーマットを可変しつつ番組表を表示することが可能となり、番組表切換時にユーザが受ける違和感を緩和することが可能となる。なお、本変形例においても上記実施形態と同様の構成を採用しうる点はいうまでもない。
【図面の簡単な説明】
【００５３】
【図１】第１実施形態における情報記録再生装置ＲＰの構成を示すブロック図である。
【図２】同実施形態においてシステム制御部１７がＥＰＧデータの取り込み時に実行する処理を示すフローチャートである。
【図３】同実施形態においてシステム制御部１７が番組表の表示切換を行う際に実行する処理を示すフローチャートである。
【図４】同実施形態において番組表の表示切換時における表示画像の遷移状態を示す図である。
【符号の説明】
【００５４】
ＲＰ・・・情報記録再生装置
１１・・・ＴＶ受信部
１２・・・信号処理部
１３・・・ＥＰＧデータ処理部
１４・・・ＤＶＤドライブ
１５・・・ハードディスク
１６・・・復号処理部
１７・・・システム制御部
１８・・・操作部
１９・・・記録制御部
２０・・・再生制御部
２１・・・ＯＳＤ処理部
２２・・・ＲＯＭ／ＲＡＭ
【図１】
2006253925.tif 000003
【図２】
2006253925.tif 000004
【図３】
2006253925.tif 000005
【図４】
2006253925.tif 000006